(57)【特許請求の範囲】
【請求項１】
雌バックルと雄バックルを嵌合可能なベルト付きバックルにおいて、
前記雌バックルと雄バックルの一方には、前記バックルの嵌合部分側の端部に対して第一挿通孔を挟んで係止部が設けられ、該係止部に対して前記第一挿通孔と反対側に形成された第二挿通孔を挟んで引掛け部が設けられており、
前記引掛け部で巻回されたベルトの一方が前記第二挿通孔を通ってベルトの他方と重なって前記第一挿通孔を通って前記係止部を巻いて装着され、
前記嵌合部分側の端部には、前記係止部を巻く二重のベルトに当接可能な突出部が前記係止部に対向して前記第一挿通孔に突出形成されていて、
前記雌バックルまたは雄バックルの延在方向における引掛け部側を下方向として、
前記係止部を巻いたベルトの他方は、下側から水平方向までの向きでは荷重がかかっても緩むことを阻止し、斜め上方向の向きでは荷重がかかると緩めることができるようにしたことを特徴とするベルト付きバックル。
【請求項２】
前記係止部と引掛け部は、前記雌バックルまたは雄バックルの延在方向に直交する両側に互いにずれて配設されている請求項１に記載されたベルト付きバックル。
【請求項３】
帽体と、該帽体の内周面に両端部を連結された一対の耳ベルトと、一方の耳ベルトに連結されたベルトと、該ベルトと他方の耳ベルトまたは該他方の耳ベルトに連結された別のベルトとを着脱可能に連結するための請求項１または２に記載された前記バックルと、を備えたことを特徴とするベルト付きヘルメット。
【発明の詳細な説明】
【技術分野】
【０００１】
本発明は、例えば学童やサイクリスト等が頭部を保護するために用いられるヘルメット、及びこのヘルメットの顎紐等を含む各種のベルトに取り付けたベルト付きバックルに関する。
【背景技術】
【０００２】
従来、この種のヘルメットを例えば幼児用や児童用として使用する場合、顎の下にバックルが位置すると、着脱操作を行う親等が目視しづらく手間がかかる上に顎の皮膚をバックルに挟むおそれがあった。そのため、ヘルメットを幼児らに装着して顎ベルトを締結する際、バックルが顔の側部に位置するように顎ベルトの長さとバックルの取付位置が調節されている。
【０００３】
このようなヘルメットとして例えば特許文献１に記載されたものが提案されている。このヘルメットは、帽体の内周面に一対の耳紐が形成され、一方の耳紐に連結された顎紐と、この顎紐及び他方の耳紐を連結するバックルとで構成されている。バックルは、他方の耳紐に連結された雌型バックルに顎紐の端部に取り付けた雄型バックルが嵌合可能とされている。
また、雌型バックルには耳紐をＶ字状に巻き付けて取り付けるためのガイド溝が表裏両面に形成されている。雄型バックルにはブリッジを挟んで前後に二つの長孔が形成されており、顎紐の自由端部を雄型バックルの嵌合部側の第一の長孔に通してブリッジに巻回して第二の長孔に通すことで顎紐を緩まないように係止すると共に長さ調整可能としている。
【０００４】
この種のバックルの雄型バックルの一例として、図９に示すものがある。この雄型バックル１は、雌型バックルに嵌合する嵌合爪部２の基部３にブリッジ４を挟んで第一長孔５と第二長孔６が形成されており、顎ベルト８の自由端部８ａを第一長孔５に通してブリッジ４に巻回し、第二長孔６を通して顎ベルト８の基端側部分８ｂに自由端部８ａを重ねて基部３の端部３ａに接触させた状態にする。
【０００５】
図９（ａ）において、ヘルメットを装着した児童等の顔の側部に接触している顎ベルト８の部分について例えば下方向（矢印Ａ方向）に力が加わると、顎ベルト８の基端側部分８ｂに矢印Ｃ方向の押圧力が加わるためにベルト８は移動しない。また、顎ベルト８の自由端部８ａを下方向（矢印Ｂ方向）に引っ張ると、押圧力Ｃが働かないために移動可能となる。
一方、図９（ｂ）において、顎ベルト８の基端側部分８ｂに斜め下方向（矢印Ａ′方向）の力が加わると、矢印Ｃ方向の押圧力が小さいために、顎ベルト８は基端側部分８ｂ側と自由端部８ａ側のいずれも移動可能となり、弛緩してしまうという欠点がある。
【０００６】
一方、特許文献２に記載されたバックルでは、上述のように雄バックル１のブリッジ４に顎ベルト８を巻回して形成させた構成において、雌型バックルに押圧片を突出形成している。そして、雄型バックルと雌型バックルを嵌合させた際、雌型バックルに設けた押圧片でブリッジ４に巻回された顎ベルト８を押圧し、顎ベルト８の延びる方向の角度に関わらず係止するように構成している。
【先行技術文献】
【特許文献】
【０００７】
【特許文献１】特開２０１１−５２３４９号公報
【特許文献２】特開２００２−６５３１５号公報
【発明の概要】
【発明が解決しようとする課題】
【０００８】
しかしながら、上述した特許文献２に記載されたバックルでは、雌型バックルから押圧片が突出しているために、幼児や児童向けのヘルメットでは着脱操作の際に手に押圧片が接触するおそれがあるため好ましくない。しかも、雄型バックルと雌型バックルを分離した状態では、押圧片による顎ベルトの係止をできないために、顎ベルトに不用意に斜め下方や横方向に力が加わると雄型バックルから顎ベルトが移動したり弛緩したりするおそれがあり、好ましくなかった。また、押圧片によって部品点数が増加して製造が煩雑になるという欠点もあった。
【０００９】
本発明は、このような実情に鑑みて、ベルトの係合と保持が確実で不用意に弛緩することのない安全なベルト付きバックルとこのバックルを備えたヘルメットを提供することを目的とする。
【課題を解決するための手段】
【００１０】
本発明によるベルト付きバックルは、雌バックルと雄バックルを嵌合可能なバックルにおいて、雌バックルと雄バックルの一方には、バックルの嵌合部分側の端部に対して第一挿通孔を挟んで係止部が設けられ、係止部に対して第一挿通孔と反対側に形成された第二挿通孔を挟んで引掛け部が設けられており、引掛け部で巻回されたベルトの一方が第二挿通孔を通ってベルトの他方と重なって第一挿通孔を通って係止部を巻いて装着され、嵌合部分側の端部には、係止部を巻く二重のベルトに当接可能な突出部が係止部に対向して第一挿通孔に突出形成されていて、雌バックルまたは雄バックルの延在方向における引掛け部側を下方向として、係止部を巻いたベルトの他方は、下側から水平方向までの向きでは荷重がかかっても緩むことを阻止し、斜め上方向の向きでは荷重がかかると緩めることができるようにしたことを特徴とする。
本発明によるベルト付きバックルによれば、ベルトを装着してなる雌バックルまたは雄バックルにおいて、嵌合部分側から離間した引掛け部で巻回されたベルトの一方が第二挿通孔を通ってベルトの他方と重なって二重のベルトとして第一挿通孔を通って係止部を巻いて装着されているため、係止部を巻回された二重のベルトの他方にバックルの嵌合部分側と反対側へ引っ張る力が加わったり、その方向に略直交する方向に力が加わったりしても、二重のベルトを係止部に押圧する方向に押圧力がかかるため、ベルトが緩んだりすることがなく係止状態に保持され、バックルにおけるベルトの弛緩を防止できる。また、二重のベルトの係止部側に位置するベルトの一方に引っ張る力が加わるとベルトが移動可能になる。
なお、本発明において、ベルトの一方とはベルトの自由端部側の部分であり、他方とは基端側部分であることが好ましい。
【００１１】
本発明によるヘルメットは、帽体と、該帽体の内周面に両端部を連結された一対の耳ベルトと、一方の耳ベルトに連結されたベルトと、このベルトと他方の耳ベルトまたは他方の耳ベルトに連結された別のベルトとを着脱可能に連結するための上述したいずれかのベルト付きバックルと、を備えたことを特徴とする。
本発明によるヘルメットによれば、帽体を装着者の頭に装着してベルトと耳ベルトまたは別のベルトとをバックルで締結するとバックルは顔の側部に位置することになり、バックルのベルトを装着した雌バックルまたは雄バックルにおいて、係止部を巻回された二重のベルトの他方にバックルの嵌合部分側と反対側である例えば下方に引っ張る力が加わったり、その方向に略直交する例えば横方向に力が加わったりしても、ベルトが緩んだりすることがなく係止状態に保持されベルトの弛緩を防止できる。また、二重のベルトの係止部側に位置するベルトの一方に引っ張る力が加わるとベルトが移動可能になる。
【発明の効果】
【００１２】
本発明に係わるベルト付きバックルとヘルメットによれば、ヘルメットの側部等に設けたバックルについて、引掛け部で巻回されたベルトの一方と他方が重なって第一挿通孔を通って係止部を巻いた構成であるため、バックルの嵌合部分側と反対方向、例えば下方向や斜め下方向や、上記反対方向に直交する方向、例えば横方向にベルトの他方を引っ張る力が加わった場合でも、二重のベルトを係止部に押圧する方向に押圧力がかかるため、ベルトが移動したり緩んだりせず弛緩防止ができる。しかも、バックルの他方の部材に押圧片等のベルトを押圧する別の部材を設けなくてもベルトの移動や弛みを防止できるため、部品点数が少なく構造を簡単にできる。
【図面の簡単な説明】
【００１３】
【図１】本発明の実施例によるヘルメットを装着者が装着した状態の斜視図である。
【図２】バックルの雌バックルの平面図である。
【図３】雄バックルの平面図である。
【図４】ヘルメットのバックルを示す要部斜視図であり、（ａ）は雄バックルと雌バックルを分離した状態の図、（ｂ）は雄バックルと雌バックルを締結した状態の図である。
【図５】ヘルメットのバックルを締結した状態の要部斜視図であり、（ａ）はベルトを締め込んだ状態の図、（ｂ）はベルトを緩めた状態の図である。
【図６】バックルの雄バックルにベルトを取り付けた状態で、下方向に力を加えた状態の図である。
【図７】バックルの雄バックルにベルトを取り付けた状態で、横方向に力を加えた状態の図である。
【図８】バックルの雄バックルにベルトを取り付けた状態で、斜め上方向に力を加えた状態の図である。
【図９】従来のバックルに顎ベルトを装着した状態を示す図であって、（ａ）は下方向に力を加えた状態の図、（ｂ）は斜め下方向に力を加えた状態の図である。
【発明を実施するための形態】
【００１４】
本発明によるベルト付きバックルは、嵌合部分側の端部に、係止部を巻く二重のベルトに当接可能な突出部が第一挿通孔に突出して形成されていることが好ましい。
係止部を巻く二重のベルトに対して、嵌合部分側の端部から突出部が第一挿通孔に突出して形成されているため、二重のベルトのうちの外側のベルトが移動したり弛緩しそうになったとしても突出部によってベルトの移動を阻止させることができる。
しかも、本発明によるバックルによれば、突出部を雌バックルまたは雄バックルで一体成形できるから、部品点数が増加しない。
【００１５】
また、係止部と引掛け部は、雌バックルまたは雄バックルの本体の延在方向に直交する両側に互いにずれて配設されていてもよい。
係止部と引掛け部の位置を雌バックルまたは雄バックルの本体の延在方向に対して直交する両側に互いにずらすことでベルトの移動や弛緩のずれを抑制できる。  
なお、係止部は突出部に対向する部分が平面部とされていてもよく、この場合には、ベルトに引っ張り方向の力が加わった際、突出部と係止部の平面部との間でベルトは突出部の係止力と平面部との摩擦で弛緩や移動を抑制する。
【００１６】
本発明によるヘルメットは、ベルト付きバックルが帽体の装着状態で装着者の顔の側部に位置するようにしたから、バックルの着脱操作が容易である。
【実施例】
【００１７】
以下、本発明の実施例によるバックルとこのバックルを備えたヘルメットを図１乃至図８により説明する。
図１に示すように、本実施例によるヘルメット１０は、例えば幼児や学童等が使用するものである。このヘルメット１０は、略半球状または凸曲面形状をなす例えば合成樹脂製の帽体１１と、帽体１１の内面に対向して取り付けられた略三角形状をなす一対の耳ベルト１２と、一方の耳ベルト１２に三角カン（図示せず）を介して連結された顎ベルト１３とを備えている。また、帽体１１内には図示しないクッションパッドとサイズアジャスタ１４とが取り付けられている。
そして、顎ベルト１３と他方の耳ベルト１２には、両者を着脱可能に締結するバックル１６が備えられている。
【００１８】
図２及び図３に示すバックル１６は、雌バックル１７と雄バックル１８とを備えている。図２に示す雌バックル１７は例えば耳ベルト１２に装着されており、雄バックル１８を嵌合させる嵌合凹部１９と、略扇形のベルト係合部２０とを備えている。ベルト係合部２０は支持部２１を挟んで前後に第一長孔２２ａと第二長孔２２ｂを有している。図４及び図５に示すように、略Ｖ字状に折り曲げた耳ベルト１２は支持部２１で折り曲げて第一長孔２２ａと第二長孔２２ｂにその両側のベルト部分を反対側からそれぞれ通すことでベルト係合部２０を取り付けている。
【００１９】
図３に示す雄バックル１８は、一対の弾性爪部２４ａとその間に設けたガイド軸２４ｂとを備えていて嵌合凹部１９に嵌合可能な嵌合凸部２４と、顎ベルト１３を係止するための基部２５とを有している。基部２５は、略四角形の枠部２５ａを二つに区切る係止部２６と、枠部２５ａの一部として嵌合凸部２４と反対側端部に設けられた引掛け部２７とを備えており、係止部２６と嵌合凸部２４の間に第一挿通孔２８，係止部２６と引掛け部２７との間に第二挿通孔２９がそれぞれ形成されている。
そして、図６に示す雄バックル１８の中央縦断面図では、引掛け部２７は例えば略涙滴形状とされ、係止部２６は略レモン形状とされている。また、雄バックル１８の延在方向（長手方向）に対して直交する方向の両側にずれた位置に係止部２６と引掛け部２７が形成されている。
【００２０】
次に、雄バックル１８に形成した基部２５へ顎ベルト１３を取り付けた構成について図５及び図６により説明する。なお、顎ベルト１３は、図６に示す基部２５に取り付けて引掛け部２７に巻回された状態で、引掛け部２７に対して端部側のベルト部分を自由端部１３ａとし、基端側のベルト部分を基端側部分１３ｂとした。そして、顎ベルト１３は、自由端部１３ａと基端側部分１３ｂの境界をループ状に巻回して自由端部１３ａと基端側部分１３ｂを二重に重ねるものである。
顎ベルト１３の装着に際して、自由端部１３ａは基部２５における嵌合凸部２４側の第一挿通孔２８を貫通して引掛け部２７を外側から巻回して第二挿通孔２９を貫通することで引掛け部２７をループ状に囲む。そして、顎ベルト１３の自由端部１３ａは基端側部分１３ｂと積層状態に重ねられ、二層に重なった状態で係止部２６を巻回して下方に延びるように装着されている。
【００２１】
また、図６に示すように、係合凸部２４の第一挿通孔２８を形成する端面２４ｃには、例えばその厚み方向中央部に断面略Ｊ字状に湾曲した突出部３０が突出している。この突出部３０の先端は自由端部１３ａと基端側部分１３ｂが二重に積層された顎ベルト１３の基端側部分１３ｂに当接するか僅かに離間する程度の位置にあるものとする。しかも、この突出部３０は顎ベルト１３を引掛け部２７から係止部２６方向に引っ張る方向に湾曲させられており、当該方向への顎ベルト１３の移動を許容可能とすると共に、逆方向への移動に抵抗することになる。
そして、係止部２６の突出部３０に対向する領域は例えば平面部２６ａとされていてもよく、この平面部２６ａと突出部３０との間隔は、顎ベルト１３の積層された二枚の厚みｄとほぼ同一に設定されている。
【００２２】
本実施例によるバックル１６は、顎ベルト１３の長さを調整できる。例えば、雄バックル１８の基部２５に取り付けた顎ベルト１３の自由端部１３ａを手で緩めて基端側部分１３ｂを引っ張れば顎ベルト１３の長さを長くできて、比較的大きな顔の装着者に適合させて顎ベルト１３を締め込むことができる。また、これとは逆に基端側部分１３ｂを係止部２６及び引掛け部２７から緩めて自由端部１３ａを引っ張れば比較的小さな顔の装着者に適合させて顎ベルト１３を締め込むことができる。
なお、本実施例において、一例として、雌バックル１７及び雄バックル１８からなるバックル１６の材質は例えばポリアセタールまたはナイロンであり、顎ベルト１３及び耳ベルト１２の材質は例えばポリプロピレン、ナイロンまたはポリエステルである。しかも、顎ベルト１３の厚みは例えば１．２ｍｍ程度である。
【００２３】
本実施例によるヘルメット１０及びそのバックル１６は上述の構成を備えているから、図１に示すように、児童や幼児等の装着者がヘルメット２０を被って、一方の耳ベルト１２の略三角状の頂部に設けたバックル１６の雌バックル１７の嵌合凹部１９に、他方の耳ベルト１２に連結された顎ベルト１３の端部に取り付けた雄バックル１８の嵌合凸部２４を嵌合させる。
この状態で、バックル１６の雄バックル１８に設けた顎ベルト１３は、例えば図６に示すように、基部２５において、引掛け部２７をループ状に囲う顎ベルト１３の自由端部１３ａと基端側部分１３ｂが重ねられた状態で第一挿通孔２８を通って係止部２６で折り曲げられて下方に延びているものとする。
【００２４】
そして、ヘルメット１０のバックル１６に上方向（矢印Ｅ方向）へ荷重が加わると共に、装着者の顎を固定する顎ベルト１３の基端側部分１３ｂに下方向（矢印Ａ方向）へ力が加わった場合、顎ベルト１３の基端側部分１３ｂを矢印Ａ方向に引っ張る相対的な力が働く。すると、顎ベルト１３の基端側部分１３ｂは積層された自由端部１３ａを介して係止部２６へ相対的に押圧され、突出部３０の近傍で基端側部分１３ｂに係止部２６へ向けて押す押圧力Ｆが働き、摩擦力により顎ベルト１３の基端側部分１３ｂが係止部２６に対して移動したり緩んだりすることを阻止する。
これに対し、基端側部分１３ｂの下側に位置する顎ベルト１３の自由端部１３ａに下方向（矢印Ｂ方向）に力が加わった場合、基端側部分１３ｂに荷重が加わらなければ、押圧力Ｆは働かないか小さいため、自由端部１３ａは下方向（矢印Ｂ方向）に可動となり、顎ベルト１３の基端側部分１３ｂを装着者の顎に締め込むことができる。
【００２５】
また、図７に示すように、ヘルメット１０のバックル１６に上方向（矢印Ｅ方向）へ力が加わると共に、装着者の顎を固定する顎ベルト１３の基端側部分１３ｂに横方向（矢印Ａ方向）へ力が加わった場合、基端側部分１３ｂを矢印Ａ方向に引っ張る相対的な力が働く。すると、顎ベルト１３の基端側部分１３ｂには積層された自由端部１３ａを介して係止部２６を押圧する押圧力Ｆが働き、摩擦力により顎ベルト１３が係止部２６に対して移動したり緩んだりすることを阻止する。
そのため、顎ベルト１３が、下方向だけでなく斜め下方向や横方向（水平方向）に引っ張られるようなことがあっても緩むことを防止できる。
これに対し、基端側部分１３ｂの下側に位置する顎ベルト１３の自由端部１３ａに下方向（矢印Ｂ方向）に荷重が加わった場合、基端側部分１３ｂに荷重が加わらなければ、押圧力Ｆは働かないか小さいため、自由端部１３ａは基端側部分１３ｂに対して下方向（矢印Ｂ方向）に可動となり、顎ベルト１３を装着者の顎に締め込んだりすることができる。
【００２６】
また、図８に示すように、装着者の顎を固定する顎ベルト１３の基端側部分１３ｂに斜め上方向（矢印Ａ方向）へ力が加わった場合、顎ベルト１３の基端側部分１３ｂは積層された自由端部１３ａや係止部２６を押圧することなく、押圧力Ｆが基端側部分１３ｂに働かないから、顎ベルト１３の基端側部分１３ｂが自由端部１３ａや突出部３０に対して矢印Ａ方向に移動可能であり、顎ベルト１３を緩めたりすることができる。
これに対し、基端側部分１３ｂの下側に位置する顎ベルト１３の自由端部１３ａに下方向（矢印Ｂ方向）に力が加わった場合、同様に押圧力Ｆは働かないため、自由端部１３ａは基端側部分１３ｂに対して下方向（矢印Ｂ方向）に可動となり、顎ベルト１３を装着者の顎に締め込んだりすることができる。
【００２７】
上述のように本実施例によるバックル１６及びヘルメット１０によれば、ヘルメット１０の側部に設けた顎ベルト１３のバックル１６について、下方向だけでなく斜め下方向や横方向（水平方向）に顎ベルト１３の基端側部分１３ｂを引っ張った場合でも顎ベルト１３は移動したり緩んだりしない。また、突出部３０を設けたことで、係止部２６で折り曲げられた二重の顎ベルト１３が緩むことを防止できる。しかも、バックル１６の雌バックル１７に押圧片等の顎ベルト１３を押圧する部材を設けなくても顎ベルト１３の移動や弛みを防止できる。
また、本実施例によるバックル１６によれば、突出部３０を雄バックル１８で一体成形できるから、部品点数が増加しない上に製造が容易である。
【００２８】
なお、本発明は上述の実施例によるバックル１６に限定されることはなく、本発明の要旨を変更しない限り種々の変更を行うことができる。次に本発明の実施例の変形例について説明する。
上述の実施例によるバックル１６では、雄バックル１８の基部２５における嵌合凸部２４側の第一挿通孔２８を形成する端面２４ｃに略板状の突出部３０を突出して形成したが、突出部３０は必ずしも断面Ｊ字状に湾曲して形成されていなくてもよく、直線状等でもよく、逆方向に湾曲していてもよく、先端部にＲ状の面取りが施されていても良い。
また、突出部３０は板状である必要はなく、ドット状や凸曲面など適宜形状の突出部を採用できる。また、端面２４ｃに突出部を形成しなくてもよく、係止部２６との間隙がｄ程度であれば同様な効果を発揮できる。
【００２９】
また、上述した実施例では、三角ベルト１２に雌バックル１７を取り付け、雄バックル１８の基部２５に顎ベルト１３を巻き付けて固定するようにしたが、これに代えて、三角ベルト１２に雄バックル１８を取り付け、顎ベルト１３に雌バックル１７を取り付けて、雌バックル１７に基部２５を設けて、基部２５に顎ベルト１３を巻き付けて固定するようにしてもよい。
また、三角ベルト１２に別のベルトを取り付け、この別のベルトに雌バックル１７または雄バックル１８を固定するようにしてもよい。
また、本実施例によるヘルメット１０について、幼児や学童用としたが、本発明はこのような用途に限定されることなく工事用等、適宜の用途に使用できる。ヘルメット１０に取り付けたバックル１６についても顔の側部に位置する構成に限定されない。また、ベルト付きバックル１６についても、ヘルメット用に限定されることなく、バック、カバン、リュックサック、カメラやそのケース等任意の用途に用いることができることはいうまでもない。
【符号の説明】
【００３０】
１０  ヘルメット
１３  顎ベルト
１３ａ  自由端部
１３ｂ  基端側部分
１６  バックル
１７  雌バックル
１８  雄バックル
１９  嵌合凹部
２４  嵌合凸部
２４ｃ  端面
２５  基部
２６  係止部
２７  引掛け部
２８  第一挿通孔
２９  第二挿通孔
３０  突出部
【図１】
0005762178.tif 000002
【図２】
0005762178.tif 000003
【図３】
0005762178.tif 000004
【図４】
0005762178.tif 000005
【図５】
0005762178.tif 000006
【図６】
0005762178.tif 000007
【図７】
0005762178.tif 000008
【図８】
0005762178.tif 000009
【図９】
0005762178.tif 000010